(57)【要約】【課題】光ピックアップ支持部材の振動を抑制させて、騒音を低減させると共に、光ピックアップの読み取り性能の向上を図る。【解決手段】ディスクに対して信号の記録動作及び再生動作の少なくとも１つを行う光ピックアップ６が備えられた光ピックアップ支持部材５と、外周面にネジ溝１２が形成されたリードスクリュー１１と、光ピックアップ支持部材５に固定され、ネジ溝１２に噛合わせる歯部１６が形成された送り用噛合部材１４とを備えて構成され、送り用噛合部材１４は、その中途部における幅寸法の合計がその他の部分における幅寸法の合計よりも少なくなるような形状に形成されている。【選択図】図１
2005259254.tif 000002
【特許請求の範囲】
【請求項１】
ディスクに対して信号の記録動作及び再生動作の少なくとも１つを行う光ピックアップが備えられた光ピックアップ支持部材と、
外周面にネジ溝が形成されたリードスクリューと、
前記光ピックアップ支持部材に固定され、前記ネジ溝に噛合される歯部が形成された送り用噛合部材とを備えて構成される光ピックアップ送り装置であって、
前記送り用噛合部材は、その中途部における幅寸法の合計がその他の部分における幅寸法の合計よりも少なくなるような形状に形成されていることを特徴とする光ピックアップ送り装置。
【請求項２】
前記送り用噛合部材の中途部の両側には、くびれ部がそれぞれ形成されていることを特徴とする請求項１に記載の光ピックアップ送り装置。
【請求項３】
前記送り用噛合部材の中途部には、内側に開口部が形成されていることを特徴とする請求項１に記載の光ピックアップ送り装置。
【発明の詳細な説明】
【技術分野】
【０００１】
この発明は、光ピックアップ送り装置に関する。
【背景技術】
【０００２】
従来、円盤状の記録媒体（以下、ディスク）に対して信号の記録動作及び再生動作の少なくとも１つを行うためのディスクドライブ装置が知られている。ディスクドライブ装置は、ディスクに記録された情報の読み取り等のために、光ピックアップを所定の方向及び範囲で移動可能に支持する光ピックアップ支持部材と、モータ及びターンテーブルを具備するディスク駆動装置等が設けられた再生部とを備えて構成されており、モータによりディスクを保持した状態のターンテーブルを回転させ、光ピックアップ支持部に支持された光ピックアップがディスクに対して信号の記録及び再生、または記録若しくは再生を行うような構造になっている。
【０００３】
このようなディスクドライブ装置には、光ピックアップ１０１を移動させるために、図１０から図１６に示すような光ピックアップ送り装置１０２が備えられている。光ピックアップ送り装置１０２は、一般的に、モータ１０３により外周面にらせん状のネジ溝１０４が形成されたリードスクリュー１０５を回転させ、一端が光ピックアップ支持部材１０６の所定の位置に固定された送り用噛合部材１０７の他端に形成された歯部１０８が、リードスクリュー１０５に形成されたネジ溝１０４に沿って移動することで、送り用噛合部材１０７と共に、光ピックアップ１０１が備えられた光ピックアップ支持部材１０６をリードスクリュー１０５の軸線に沿って移動させる。
【０００４】
上述した機構を採用する光ピックアップ送り装置１０２には、主ガイド部材１０８及び副ガイド部材１０９が設けられており、このうち主ガイド部材１０８は、図１３及び図１４に示すように、ピックアップ支持部材１０６に設けられた主ガイド部材受部１１０に穿設された挿通孔１１１に挿入され、これによって、光ピックアップ支持部材１０６が移動可能なように支持されている。しかし、光ピックアップ支持部材１０６を繰り返し移動させる耐久試験を実施したところ、主ガイド部材１０８と、主ガイド部材受部１１０とに、削れ粉や、潤滑オイルが劣化したスラッジ等が発生し、主ガイド部材１０８と、主ガイド部材受部１１０との間に形成された間隙に目詰まりが発生し、光ピックアップ支持部材１０６が移動不能になるという問題が生じていた。
【０００５】
そこで、光ピックアップ支持部材１０６に設けられた主ガイド部材受部１１０と、主ガイド部材１０８との間隙において生じる目詰まりに起因する摺動不良を防止すると共に、部品の寿命を延ばすことが可能な光ピックアップ送り装置１０２として、図１０及び図１１に示すように、削れ粉や、潤滑オイルが劣化したスラッジ等を主ガイド部材１０８の外面から逃がすための溝１１２が形成された主ガイド部材１０８を備えた光ピックアップ送り装置１０２が開発されている（例えば、特許文献１参照）。
【特許文献１】特開２００３−１２３４１０号公報
【発明の開示】
【発明が解決しようとする課題】
【０００６】
しかしながら、上記光ピックアップ送り装置のモータとしてステッピングモータを使用する場合には、パルス駆動時においてトルク変動及び速度の周期変動（以下、コギング）が発生すると、光ピックアップ支持部材の移動動作に、例えば細かな移動及び停止動作を繰り返す等の影響を与える。さらに、この光ピックアップ支持部材の動作への影響に加えて、主ガイド部材と、主ガイド部材受部に設けられた挿通孔との間に形成された間隙により、光ピックアップ支持部材が、自重の慣性力によりリードスクリューのガイド方向Ｘに振動して、騒音を生じさせる、または光ピックアップの読み取り性能を低下させるという問題が生じている。
【０００７】
本発明は前記した点に鑑みてなされたものであり、光ピックアップ支持部材の振動を抑制して、騒音を低減させると共に、光ピックアップの読み取り性能の向上を図ることが可能な光ピックアップ送り装置を提供することを目的とする。
【課題を解決するための手段】
【０００８】
請求項１に記載の発明に係る光ピックアップ送り装置は、
ディスクに対して信号の記録動作及び再生動作の少なくとも１つを行う光ピックアップが備えられた光ピックアップ支持部材と、
外周面にネジ溝が形成されたリードスクリューと、
前記光ピックアップ支持部材に固定され、前記ネジ溝に噛合される歯部が形成された送り用噛合部材とを備えて構成される光ピックアップ送り装置であって、
前記送り用噛合部材は、その中途部における幅寸法の合計がその他の部分における幅寸法の合計よりも少なくなるような形状に形成されていることを特徴とする。
【０００９】
請求項２に記載の発明に係る光ピックアップ送り装置は、前記送り用噛合部材の中途部の両側には、くびれ部がそれぞれ形成されていることを特徴とする。
【００１０】
請求項３に記載の発明に係る光ピックアップ送り装置は、前記送り用噛合部材の中途部には、内側に開口部が形成されていることを特徴とする。
【発明の効果】
【００１１】
本発明によれば、ディスクに対して信号の記録動作及び再生動作の少なくとも１つを行う光ピックアップが備えられた光ピックアップ支持部材と、外周面にネジ溝が形成されたリードスクリューと、光ピックアップ支持部材に固定され、ネジ溝に噛合される歯部が形成された送り用噛合部材とを備えて構成されており、送り用噛合部材は、その中途部における幅寸法の合計がその他の部分における幅寸法の合計よりも少なくなるような形状に形成されているので、モータによるコギングを光ピックアップ支持部材に伝達され難くすることで、コギングに起因する光ピックアップ支持部材の振動を抑制することが可能となり、これによって、騒音を低減させると共に、光ピックアップの読み取り性能の向上を図ることができる。
【発明を実施するための最良の形態】
【００１２】
以下、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１３】
図１から図９を参照しながら、本実施形態における光ピックアップ送り装置１を説明する。ここで、図２、図５、図７は、図１、図４、図６におけるリードスクリュー１１と送り用噛合部材１５とが当接する部分をそれぞれ拡大した図である。
図１に示すように、本実施形態における光ピックアップ送り装置１は、図示しない筐体により各構成部材が覆われている。この筐体の内部には、シャーシ２が備えられており、このシャーシ２には、レール状に延在する副ガイド部材３が形成されている。ここで、副ガイド部材３が延在する方向をガイド方向Ｘとする。
筐体の内部には、ガイド方向Ｘに延在する円柱状の主ガイド部材４が副ガイド部材３に対して平行にかつ所定間隔をもって配置されており、主ガイド部材４は、両端部がネジ止め等の手段によりシャーシ２に固定支持されている。
【００１４】
主ガイド部材４と副ガイド部材３との間には、光ピックアップ支持部材５が設けられており、この光ピックアップ支持部材５には、ターンテーブル（図示せず）に保持された状態で回転しているディスク（図示せず）に対して信号の記録及び再生の少なくとも１つの動作を行うための光ピックアップ６が設けられている。
【００１５】
光ピックアップ６には、ディスクに対してレーザー光を照射するための光源（図示せず）が備えられており、ディスクと対向する面には、この光源から照射されるレーザー光をディスクの信号記録面上に集光させるための対物レンズ７が設けられている。また、この光ピックアップ６には、対物レンズ７を当該対物レンズ７の光軸方向及び当該対物レンズ７の光軸方向と直交する方向に変位させる二軸アクチュエータ（図示せず）が備えられており、二軸アクチュエータは、対物レンズ７を当該対物レンズ７の光軸方向及び当該対物レンズ７と直交する方向に変位させながら、ディスクの信号記録面上に対物レンズ７の焦点を合わせるフォーカシングサーボ、対物レンズ７により集光されるレーザー光のスポット位置を常に記録トラック上に位置させるトラッキングサーボ等の駆動制御を行うようになっている。
【００１６】
光ピックアップ支持部材５における副ガイド部材３と対向する面には、副ガイド部材３に係合される断面形状凹状の副ガイド部材受部８が設けられており、また、光ピックアップ支持部材５における主ガイド部材４と対向する面側には、主ガイド部材４が挿通される挿通孔１０が形成された主ガイド部材受部９が設けられている。そして、光ピックアップ支持部材５の副ガイド部材受部８が副ガイド部材３に係合されるとともに、主ガイド部材受部９の挿通孔１０に主ガイド部材４が挿通された状態で、光ピックアップ支持部材５が主ガイド部材４および副ガイド部材３に案内されながら、ガイド方向Ｘに沿って移動できるようになっている。
【００１７】
なお、本実施形態の主ガイド部材４の外周面には、主ガイド部材受部９と当該主ガイド部材４とが摺動して生じる削れ粉や、潤滑オイルが劣化して生じるスラッジ等を主ガイド部材４から除去し易くするための同心状の溝が設けられていてもよい。この溝は、同心状に限定されず、らせん状に設けられていてもよいし、溝の代わりに複数の孔が穿設されていてもよい。また、溝の幅、深さ、形状等は、主ガイド部材４の強度、発生するスラッジ等の量、光ピックアップ支持部材５との摺動のし易さ等を考慮して決定すればよい。さらに、この溝は、主ガイド部材４に限らず、副ガイド部材３にも設けられていてもよい。
【００１８】
主ガイド部材４の光ピックアップ６の配設側と反対側には、主ガイド部材４と平行に配置された円柱状のリードスクリュー１１が図示しない軸受により回転自在に設けられており、リードスクリュー１１の外周面には、らせん状のネジ溝１２が設けられている。
【００１９】
リードスクリュー１１の一端には、モータ１３が図示しない回転伝達機構を介して連結されている。回転伝達機構は、例えば、ウォーム及びウォームホイール（共に図示せず）から構成されており、モータ１３の駆動力をウォーム及びウォームホイールを介してリードスクリュー１１に伝達することにより、リードスクリュー１１を回転駆動するようになっている。
【００２０】
なお、本実施形態におけるモータ１３には、ステッピングモータが用いられているが、これに限定されず、リニアモータ等も適用可能である。
【００２１】
また、光ピックアップ６の主ガイド部材４側の上方には、先端部がリードスクリュー１１の上方に延在する送り用噛合部材１４が取付けられており、この送り用噛合部材１４の先端部下面には、リードスクリュー１１に設けられたネジ溝１２に噛合される歯部１６が突設されている。送り用噛合部材１４の上面には、弾性変形可能な合成樹脂等から形成された板バネ１５が備えられており、板バネ１５の一端が光ピックアップ支持部材５にネジ止めにより固定されるとともに、他端がリードスクリュー１１の上方に位置するように配置されている。また、この送り用噛合部材１４の中途部の両側には、くびれ部１７がそれぞれ形成されており、その中途部における幅寸法の合計が、その他の部分における幅寸法の合計よりも少なくなるようになっている。
【００２２】
なお、本実施形態における送り用噛合部材１４の中途部の両側には、くびれ部１７がそれぞれ形成されているが、その中途部における幅寸法の合計が、その他の部分における幅寸法の合計よりも少なくなるような形状に形成されていれば、くびれ部１７に限定されず、図８及び図９に示すように、内側に開口部１８が形成されてもよい。
【００２３】
次に、本実施形態の作用について説明する。
所定の情報が光ピックアップ送り装置１に送信されると、モータ１３が回転して、回転伝達機構を介してモータ１３の駆動力がリードスクリュー１１に伝達される。この駆動力により軸線を中心としてリードスクリュー１１を回転させ、リードスクリュー１１のネジ溝１２と噛合された送り用噛合部材１４の歯部１６がガイド方向Ｘに力を受けることで、送り用噛合部材１４と共に、光ピックアップ支持部材５がガイド方向Ｘに移動される。
【００２４】
その後、ターンテーブルに保持された状態で回転しているディスクの信号記録面に対して、光ピックアップ６に備えられた対物レンズ７によって集光されたレーザー光を照射することにより、信号の記録及び再生、または記録若しくは再生が行われる。
【００２５】
さらに、上述した一連の動作が行われて、光ピックアップ６によるディスクに対する信号の記録動作及び再生動作の少なくとも１つの動作が終了する。
【００２６】
上述したように、モータ１３にステッピングモータが用いられた場合には、パルス駆動時においてコギングが発生すると、光ピックアップ支持部材５の移動動作に、例えば細かな移動及び停止動作を繰り返す等の影響を与える。さらに、この光ピックアップ支持部材５の移動動作への影響に加えて、主ガイド部材４と、主ガイド部材受部９に設けられた挿通孔１０との間に形成された間隙により、光ピックアップ支持部材５は、自重の慣性力によりリードスクリュー１１のガイド方向Ｘに振動しようとする。
【００２７】
このとき、送り用噛合部材１４の中途部の両側にくびれ部１７が形成されることで、従来の光ピックアップ送り装置１では送り用噛合部材１４を介して直接光ピックアップ支持部材５に伝達されていたガイド方向Ｘへの振動が、当該くびれ部１７により一部の振動のみが直接光ピックアップ支持部材５に伝達され、残りの振動は送り用噛合部材１４に備えられた板バネ１５に伝達される。この板バネ１５は合成樹脂により成形されているので、残りの振動は当該板バネ１５に吸収されて、光ピックアップ支持部材５への伝達が抑制される。
【００２８】
以上より、本実施形態によれば、ディスクに対して信号の記録動作及び再生動作の少なくとも１つを行う光ピックアップ６が備えられた光ピックアップ支持部材５と、外周面にネジ溝１２が形成されたリードスクリュー１１と、光ピックアップ支持部材５に固定され、ネジ溝１２に噛合わせる歯部１６が形成された送り用噛合部材１４とを備えて構成されており、送り用噛合部材１４は、その中途部における幅寸法の合計がその他の部分における幅寸法の合計よりも少なくなるような形状に形成されているので、モータ１３によるコギングを光ピックアップ支持部材５に伝達され難くすることで、コギングに起因する光ピックアップ支持部材５の振動を抑制することが可能となり、これによって、騒音を低減させると共に、光ピックアップ６の読み取り性能の向上を図ることができる。
【図面の簡単な説明】
【００２９】
【図１】本実施形態における光ピックアップ送り装置を示す正面図である。
【図２】本実施形態における光ピックアップ送り装置のリードスクリューと送り用噛合部材とが当接する部分を示す拡大図である。
【図３】本実施形態における光ピックアップ送り装置の送り用噛合い部材を示す平面図である。
【図４】本実施形態における光ピックアップ送り装置を示す右側面図である。
【図５】本実施形態における光ピックアップ送り装置のリードスクリューと送り用噛合部材とが当接する部分を示す拡大図である。
【図６】本実施形態における光ピックアップ送り装置を示す平面図である。
【図７】本実施形態における光ピックアップ送り装置のリードスクリューと送り用噛合部材とが当接する部分を示す拡大図である。
【図８】本発明に係る光ピックアップ送り装置における送り用噛合部材の第一の変形例における平面図である。
【図９】本発明に係る光ピックアップ送り装置における送り用噛合部材の第二の変形例における平面図である。
【図１０】従来技術における光ピックアップ送り装置を示す正面図である。
【図１１】従来技術における光ピックアップ送り装置のリードスクリューと送り用噛合部材とが当接する部分を示す拡大図である。
【図１２】従来技術における光ピックアップ送り装置の送り用噛合い部材を示す平面図である。
【図１３】従来技術における光ピックアップ送り装置を示す右側面図である。
【図１４】従来技術における光ピックアップ送り装置のリードスクリューと送り用噛合部材とが当接する部分を示す拡大図である。
【図１５】従来技術における光ピックアップ送り装置を示す平面図である。
【図１６】従来技術における光ピックアップ送り装置のリードスクリューと送り用噛合部材とが当接する部分を示す拡大図である。
【符号の説明】
【００３０】
１  光ピックアップ送り装置
５  光ピックアップ支持部材
６  光ピックアップ
１１  リードスクリュー
１２  ネジ溝
１４  送り用噛合部材
１６  歯部
１７  くびれ部
【図１】
2005259254.tif 000003
【図２】
2005259254.tif 000004
【図３】
2005259254.tif 000005
【図４】
2005259254.tif 000006
【図５】
2005259254.tif 000007
【図６】
2005259254.tif 000008
【図７】
2005259254.tif 000009
【図８】
2005259254.tif 000010
【図９】
2005259254.tif 000011
【図１０】
2005259254.tif 000012
【図１１】
2005259254.tif 000013
【図１２】
2005259254.tif 000014
【図１３】
2005259254.tif 000015
【図１４】
2005259254.tif 000016
【図１５】
2005259254.tif 000017
【図１６】
2005259254.tif 000018